(57)【要約】【課題】警報の発令地域を通行する移動体に迅速に情報を配信できる技術の提供。【解決手段】情報配信システムは、無線通信回線を介して複数の移動体から情報の配信要求を受け付ける受付部と、警報発令期間内において、前記移動体の位置が警報の発令地域内である場合、前記移動体の位置が前記発令地域外である場合よりも前記配信要求への応答処理の優先度を高く設定する優先度設定部と、前記優先度の高い順に前記応答処理を実行する応答部と、を備える。【選択図】図２
2018081359.tif 000002
【特許請求の範囲】
【請求項１】
複数の移動体から情報の配信要求を受け付ける受付部と、
警報発令期間内において、前記移動体の位置が警報の発令地域内である場合、前記移動体の位置が前記発令地域外である場合よりも前記配信要求への応答処理の優先度を高く設定する優先度設定部と、
前記優先度の高い順に前記応答処理を実行する応答部と、
を備える情報配信システム。
【請求項２】
前記応答処理は、前記移動体の移動予定経路を探索し、当該移動予定経路を示す経路情報を前記移動体に配信する処理である、
請求項１に記載の情報配信システム。
【請求項３】
前記応答処理は、前記移動体の位置の周辺の地図を示す地図情報を前記移動体に配信する処理である、
請求項１に記載の情報配信システム。
【請求項４】
前記応答部は、前記警報発令期間外においても、前記移動体の位置の周辺の地図を示す前記地図情報を前記移動体に配信する前記応答処理を実行するとともに、
前記警報発令期間内において配信される前記地図情報が示す地図要素のうちの一部が、前記警報発令期間外において配信される前記地図情報が示す地図要素から除外される、
請求項３に記載の情報配信システム。
【請求項５】
前記応答処理は、前記移動体にて指定された検索条件に基づいて施設を検索し、当該検索された施設を示す施設情報を前記移動体に配信する処理である、
請求項１に記載の情報配信システム。
【請求項６】
コンピュータを、
複数の移動体から情報の配信要求を受け付ける受付部、
警報発令期間内において、前記移動体の位置が警報の発令地域内である場合、前記移動体の位置が前記発令地域外である場合よりも前記配信要求への応答処理の優先度を高く設定する優先度設定部、
前記優先度の高い順に前記応答処理を実行する応答部、
として機能させる情報配信プログラム。
【発明の詳細な説明】
【技術分野】
【０００１】
本発明は、情報配信システムおよび情報配信プログラムに関する。
【背景技術】
【０００２】
配信要求に応じてナビゲーション装置に地図更新データを配信する地図配信装置が知られている（特許文献１、参照）。特許文献１において、地図配信装置の処理負荷が所定値未満である場合に、今回の更新対象エリアと次回以降に配信が要求されると予測される更新対象予測エリアの地図を更新するための地図更新データを配信する。地図配信装置の処理負荷が小さい期間のうちに、次回以降に配信が要求されると予測される更新対象予測エリアについても地図更新データを配信しておくことで、地図配信装置の処理負荷を分散させることができる。
【先行技術文献】
【特許文献】
【０００３】
【特許文献１】特開２０１０−２１０４３３号公報
【発明の概要】
【発明が解決しようとする課題】
【０００４】
しかしながら、警報発令時に情報の配信要求が集中した場合には、地図配信装置の処理負荷が大きくなり、配信要求に応答できないという問題があった。また、警報発令エリアを予測することは困難であるため、特許文献１の技術によって、予め警報発令エリアの地図更新データを配信しておくことも困難であった。
さらに、警報発令時においては、警報の発令地域を通行する移動体に対して迅速に地図更新データを配信すべきであるが、他の地域からの配信要求にも応答しなければならないため、結果として警報の発令地域を通行する移動体に対する地図更新データの配信が遅れるという問題もあった。
本発明は、前記課題にかんがみてなされたもので、警報の発令地域を通行する移動体に迅速に情報を配信できる技術を提供することを目的とする。
【課題を解決するための手段】
【０００５】
前記の目的を達成するため、本発明の情報配信システムは、複数の移動体から情報の配信要求を受け付ける受付部と、警報発令期間内において、移動体の位置が警報の発令地域内である場合、移動体の位置が発令地域外である場合よりも配信要求への応答処理の優先度を高く設定する優先度設定部と、優先度の高い順に応答処理を実行する応答部と、を備える。
【０００６】
前記の目的を達成するため、本発明の情報配信プログラムは、コンピュータを、複数の移動体から情報の配信要求を受け付ける受付部、警報発令期間内において、移動体の位置が警報の発令地域内である場合、移動体の位置が警報の発令地域外である場合よりも配信要求への応答処理の優先度を高く設定する優先度設定部、優先度の高い順に応答処理を実行する応答部、として機能させる。
【０００７】
前記の構成において、移動体の位置が警報の発令地域内である場合、移動体の位置が警報の発令地域外である場合よりも配信要求への応答処理の優先度を高く設定することにより、警報の発令地域を通行する移動体に迅速に情報を配信できる。
【図面の簡単な説明】
【０００８】
【図１】情報配信システムのブロック図である。
【図２】図２Ａは優先度設定処理のフローチャート、図２Ｂは情報配信処理のフローチャートである。
【発明を実施するための形態】
【０００９】
ここでは、下記の順序に従って本発明の実施の形態について説明する。
（１）車載器の構成：
（２）情報配信システムの構成：
（３）情報配信システムの処理：
（３−１）優先度設定処理：
（３−２）情報配信処理：
（４）他の実施形態：
【００１０】
（１）車載器の構成：
まず、車載器１１０の構成について説明する。図１は、本発明の一実施形態にかかる情報配信システム１０を含むシステム全体の構成を示すブロック図である。情報配信システム１０は、移動体としての車両に搭載された多数の車載器１１０と警報情報サーバ２１０と通信可能に構成されたサーバである。本実施形態の移動体は車両および車載器１１０である。
【００１１】
車載器１１０は、制御部１２０と記録媒体１３０とを備えている。制御部１２０は、ＣＰＵとＲＡＭとＲＯＭ等を備え、記録媒体１３０やＲＯＭに記録されたナビゲーションプログラム１２１を実行する。
【００１２】
記録媒体１３０は、地図情報１３０ａと経路情報１３０ｂを記録している。なお、地図情報１３０ａは、情報配信システム１０に記録されている地図情報３０ａが車載器１１０に配信されたものであり、地図情報３０ａとほぼ同様の構成である。ただし、情報配信システム１０の地図情報３０ａは最新の地図を示すが、車載器１１０の地図情報１３０ａは必ずしも最新の地図を示すとは限らない。すなわち、必ずしも車載器１１０が情報配信システム１０から最新の地図情報３０ａの配信を受けているとは限らない。地図情報１３０ａは、ノードデータとリンクデータと形状補間点データと背景データと文字データと立体データと施設データとを含む。
【００１３】
ノードデータは、おもに交差点に対応するノードについての情報を示す。具体的に、ノードデータは、ノードの座標や交差点の形状を示す。
リンクデータは、道路区間（リンク）についての各種情報を道路区間ごとに示すデータである。道路区間は、長さ方向に連続する交差点で区切った道路の単位であり、リンクの両端にはノードが存在する。なお、３個以上のリンクが接続しているノードが交差点に対応する。リンクデータには、道路区間ごとに、道路種別（高速道路、有料道路、一般道路、国道、県道、細街路等）が対応付けられている。
形状補間点データは、道路区間上のノード以外の位置に設定された形状補間点の座標を示すデータである。制御部１２０は、ノードの座標と形状補間点の座標とを取得し、これらの座標を接続する折れ線、または、これらの座標の近似曲線を道路区間の形状として取得する。
【００１４】
背景データは、地図上において道路区間や施設等の表示物の背景となる画像を示すデータである。制御部１２０は、背景データに基づいて描画した背景上に道路区間等を表す線図を重畳することにより地図を生成する。
文字データは、地図上にて表示する文字を示すデータであり、当該文字は道路区間や交差点や施設や地域等の名称を表す。
立体データは、３次元のポリゴンデータであり、道路区間や当該道路区間の周辺に存在する建造物等の地物の３次元形状を示すデータである。制御部１２０は、立体データに基づいて道路区間や建造物等の立体図を描画し、当該立体図を地図の一部として表示する。
施設データは、各種施設の位置や名称や属性や形状等を示すＰＯＩデータである。
【００１５】
以上説明した地図情報１３０ａの全部または一部（一部の地域、一部のデータの種類）を、情報配信システム１０に記録されている最新の地図情報３０ａで更新することにより、地図情報１３０ａを最新の状態にすることができる。
【００１６】
経路情報１３０ｂは、情報配信システム１０にて探索された移動予定経路を案内するための情報である。経路情報１３０ｂは、少なくとも移動予定経路を構成する一連の道路区間を示す。
【００１７】
破線で示すように、車載器１１０には通信部１４０と測位部１５０とユーザＩ／Ｆ部１６０とが備えられる。ただし、通信部１４０と測位部１５０とユーザＩ／Ｆ部１６０とは、車両に備えられてもよく、必ずしも車載器１１０に備えられなくてもよい。通信部１４０は、情報配信システム１０との通信を実現するための通信回路である。測位部１５０は、車両の現在地を導出するための各種計測を行う装置であり、例えばＧＰＳ受信部や車速センサやジャイロセンサ等を含む。なお、車両の現在地と車載器１１０の現在地とは同視できる。
【００１８】
制御部１２０は、測位部１５０における計測結果に基づいて車両の現在地を導出する。
さらに、制御部１２０は、道路区間の形状を用いて公知のマップマッチングを行い、車両の現在地が道路区間上の位置へと近づくように補正する。ユーザＩ／Ｆ部１６０は、入力部と出力部とを含む。入力部は、ユーザの入力操作を受け付ける装置であり、例えはタッチパネルであってもよい。出力部は、地図を表示するディスプレイと、音声案内を出力するスピーカーとを含む。
【００１９】
ナビゲーションプログラム１２１は、地図を表示する機能と、移動予定経路を案内する機能とを制御部１２０に実現させるためのプログラムである。すなわち、ナビゲーションプログラム１２１の機能により制御部１２０は、地図情報１３０ａに基づいて地図を描画し、当該地図をユーザＩ／Ｆ部１６０にて表示する。また、ナビゲーションプログラム１２１の機能により制御部１２０は、経路情報１３０ｂが示す移動予定経路を取得し、当該移動予定経路を示す線図を地図上に表示する。さらに、制御部１２０は、経路情報１３０ｂに基づいて移動予定経路上における案内地点を取得し、当該案内地点において音声案内を出力する。案内地点は、例えば右左折する交差点であってもよく、当該交差点までの距離や右左折の方向などの音声案内が行われてもよい。
【００２０】
さらに、ナビゲーションプログラム１２１の機能により制御部１２０は、情報配信要求を情報配信システム１０に送信する。具体的に、制御部１２０は、地図情報１３０ａは車両の現在地の周辺の地域について最新の地図情報３０ａを配信することを要求する情報配信要求（以下、地図配信要求）を送信する。さらに、制御部１２０は、ユーザＩ／Ｆ部１６０にて指定された目的地までの移動予定経路を探索し、その探索結果を示す情報を配信することを要求する情報配信要求（以下、経路探索要求）を送信する。また、制御部１２０は、ユーザＩ／Ｆ部１６０にて移動予定経路の案内を実行すると指定された場合に、移動予定経路を案内するための経路情報１３０ｂを配信することを要求する情報配信要求（以下、経路配信要求）を送信する。さらに、制御部１２０は、ユーザＩ／Ｆ部１６０にて施設の検索条件が指定された場合に、当該施設の検索結果を示す情報を配信することを要求する情報配信要求（以下、施設検索要求）を送信する。制御部１２０は、以上説明した情報配信要求に車両の現在地を示す情報を添付して情報配信システム１０に送信する。
【００２１】
（２）情報配信システムの構成：
次に、情報配信システム１０の構成を説明する。情報配信システム１０は、制御部２０と記録媒体３０と通信部４０とを備えている。制御部２０は、ＣＰＵとＲＡＭとＲＯＭ等を備え、記録媒体３０やＲＯＭに記録された情報配信プログラム２１を実行する。記録媒体３０は、地図情報３０ａと応答処理リスト３０ｂとを記録している。地図情報３０ａは車載器１１０の地図情報１３０ａとほぼ同様であるため、地図情報３０ａの説明を省略する。
【００２２】
応答処理リスト３０ｂは、配信情報を配信する処理である応答処理のリストであり、応答処理のそれぞれに要求時刻と優先度と配信先と処理内容とが対応付けられている。要求時刻とは、応答処理が要求された時刻であり、配信先とは応答処理において配信する配信情報の配信先であり、情報配信要求を送信した車載器１１０である。優先度とは、応答処理リスト３０ｂに記録された複数の応答処理の実行順序を決定するためのパラメータであり、優先度が高い応答処理ほど先に実行されることとなる。本実施形態において、高い順に『高』『中』『低』の３段階の優先度が設定され得る。要求時刻に拘わらず、優先度が『高』の応答処理が、優先度が『中』の応答処理よりも先に実行され、優先度が『中』の応答処理が、優先度が『低』の応答処理よりも先に実行される。また、優先度が同一の複数の応答処理においては、要求時刻が早い（旧い）応答処理ほど先に実行される。
【００２３】
なお、応答処理には、地図配信要求に応答する地図配信処理と、経路探索要求に応答する経路探索処理と、経路配信要求に応答する経路配信処理と、施設検索要求に応答する施設検索処理とがある。地図配信処理の処理内容として、例えば地図情報３０ａを配信する対象の地域が記録される。経路配信処理の処理内容として、例えば出発地と目的地とが記録される。経路配信処理の処理内容として、配信する経路情報１３０ｂに対応する移動予定経路が記録される。さらに、施設検索処理の処理内容として施設の検索条件が記録される。
【００２４】
応答処理リスト３０ｂは、地図配信処理と経路探索処理と経路配信処理と施設検索処理のそれぞれについて独立して作成されている。例えば、地図配信処理について応答処理リスト３０ｂが作成されており、当該応答処理リスト３０ｂには複数の地図配信処理のみがリストされている。同様に、複数の経路探索処理のみがリストアップされた応答処理リスト３０ｂと、複数の経路配信処理のみがリストアップされた応答処理リスト３０ｂと、複数の施設検索処理のみがリストアップされた応答処理リスト３０ｂとがそれぞれ作成されている。本実施形態において、制御部２０は、地図配信処理と経路探索処理と経路配信処理と施設検索処理との間で、これらの実行に要する演算・通信のためのハードウェア・ソフトウェア資源が競合しないものとする。
【００２５】
情報配信プログラム２１は、受付モジュール２１ａと優先度設定モジュール２１ｂと応答モジュール２１ｃとを含む。受付モジュール２１ａと優先度設定モジュール２１ｂと応答モジュール２１ｃとを実行する制御部２０は、本発明の受付部と優先度設定部と応答部とに相当する。
【００２６】
受付モジュール２１ａは、複数の車載器１１０から情報の配信要求を受け付けるための機能を制御部２０に実現させるプログラムモジュールである。すなわち、受付モジュール２１ａの機能により制御部２０は、情報配信要求として、地図配信要求と経路探索要求と経路配信要求と施設検索要求とを車載器１１０から受け付ける。
【００２７】
優先度設定モジュール２１ｂは、警報発令期間内において、車載器１１０の位置が警報の発令地域内である場合、車載器１１０の位置が発令地域外である場合よりも配信要求への応答処理の優先度を高く設定するための機能を制御部２０に実現させるプログラムモジュールである。優先度設定モジュール２１ｂの機能により制御部２０は、警報情報サーバ２１０が提供する警報情報に基づいて警報の発令地域を取得する。なお、警報情報は、現在発令されている警報についての情報であり、発令地域は現在警報が発令されている地域である。従って、警報情報サーバ２１０から警報情報が提供されている期間が警報発令期間を意味する。本実施形態において、警報は、行政区画単位で発令され、発令地域も行政区画単位で取得される。また、制御部２０は、情報配信要求に添付された情報から車両の現在地を取得する。
【００２８】
優先度設定モジュール２１ｂの機能により制御部２０は、情報配信要求を受け付けると当該情報配信要求に応答する応答処理を応答処理リスト３０ｂに追加するとともに、当該応答処理に要求時刻と優先度と配信先と処理内容とを対応付ける。このとき、制御部２０は、情報配信要求を送信した車両の現在地が発令地域内である場合には優先度として『高』を対応付け、情報配信要求を送信した車両の現在地が発令地域内でない場合には優先度として『低』を対応付ける。また、制御部２０は、いずれの地域においても警報が発令されていない場合には、情報配信要求を送信した車両の現在地に拘わらず優先度として『中』を対応付ける。
【００２９】
応答モジュール２１ｃは、優先度の高い順に応答処理を実行するための機能を制御部２０に実現させるプログラムモジュールである。応答モジュール２１ｃの機能により制御部２０は、応答処理リスト３０ｂに記録されている応答処理のうち最優先の応答処理を順に実行する。具体的に、制御部２０は、最も優先度が高い応答処理を抽出し、最も優先度が高い応答処理が１個のみであれば当該応答処理を最優先の応答処理として取得する。例えば、優先度が『高』の応答処理が１個のみであれば、制御部２０は、当該応答処理を最優先の応答処理として取得する。また、制御部２０は、最も優先度が高い応答処理が複数存在する場合には、これらの応答処理のうち最も要求時刻が早い（旧い）応答処理を最優先の応答処理として取得する。制御部２０は、実行済みの応答処理を応答処理リスト３０ｂから削除する。
【００３０】
応答モジュール２１ｃの機能により制御部２０は、応答処理として、車両の移動予定経路を探索する経路探索処理を実行する。制御部２０は、複数の経路探索処理がリストされている応答処理リスト３０ｂを参照することにより、最優先の経路探索処理を取得し、当該最優先の経路探索処理を実行する。経路探索処理は、出発地から目的地までの最適な移動予定経路を地図情報３０ａに基づいて探索し、その探索結果を示す情報を車載器１１０に配信する処理である。探索結果を示す情報とは、探索された単数または複数の移動予定経路の概要（距離、到着予定時刻、通行料金等）を示す情報であってもよい。移動予定経路の探索は、例えばダイクストラ法等の公知の手法によって行うことができる。
【００３１】
応答モジュール２１ｃの機能により制御部２０は、応答処理として、移動予定経路を示す経路情報１３０ｂを車載器１１０に配信する経路配信処理を実行する。制御部２０は、複数の経路配信処理がリストアップされている応答処理リスト３０ｂを参照することにより、最優先の経路配信処理を取得し、当該最優先の経路配信処理を実行する。経路配信処理は、上述した経路探索処理にて探索された移動予定経路であって、車載器１１０にて案内を実行すると指定された移動予定経路を案内するための経路情報１３０ｂを生成し、当該経路情報１３０ｂを車載器１１０に配信する処理である。
【００３２】
応答モジュール２１ｃの機能により制御部２０は、応答処理として、車載器１１０にて指定された検索条件に基づいて施設を検索し、当該検索された施設を示す施設情報を車載器１１０に配信する施設検索処理を実行する。制御部２０は、複数の施設検索処理がリストアップされている応答処理リスト３０ｂを参照することにより、最優先の施設検索処理を取得し、当該最優先の施設検索処理を実行する。施設検索処理は、車載器１１０にて指定された検索条件（例えば検索キーワード）に合致する名称等を有する施設を地図情報３０ａの施設データにて検索し、当該施設データを車載器１１０に配信する処理である。なお、制御部２０は、施設データそのものを車載器１１０に配信しなくてもよく、検索条件に合致する施設名称のリストを示す情報を車載器１１０に配信してもよい。
【００３３】
応答モジュール２１ｃの機能により制御部２０は、応答処理として、車載器１１０の位置の周辺の地図を示す地図情報３０ａを車載器１１０に配信する地図配信処理を実行する。制御部２０は、車両の現在地が属する行政区画を取得し、当該行政区画についての最新の地図情報３０ａを車載器１１０に配信する。地図配信処理は、車載器１１０の現在地が属する行政区画について、車載器１１０が記録している地図情報１３０ａと、情報配信システム１０が記録している地図情報３０ａとの差分を抽出し、当該差分に対応する地図情報３０ａを車載器１１０に配信する処理である。なお、地図情報３０ａの配信対象となる地域には、車両の現在地が属する行政区画のみならず、当該行政区画の周辺の行政区画（例えば隣接する行政区画や一定距離以内の行政区画）が含まれてもよい。
【００３４】
応答モジュール２１ｃの機能により制御部２０は、警報発令期間外においても、車載器１１０の位置の周辺の地図を示す地図情報３０ａを車載器１１０に配信する地図配信処理を実行する。すなわち、応答モジュール２１ｃの機能により制御部２０は、警報情報サーバ２１０から警報情報が提供されているか否かに拘わらず、車載器１１０の位置の周辺の地図を示す地図情報３０ａを車載器１１０に配信する。
【００３５】
ここで、警報発令期間内において配信される地図情報が示す地図要素のうちの一部が、警報発令期間外において配信される地図情報が示す地図要素から除外される。なお、警報情報サーバ２１０から警報情報が提供されている期間が警報発令期間である。
【表１】
2018081359.tif 000003
表１は、警報発令期間内と警報発令期間外とで車載器１１０に配信される地図情報３０ａを比較する表である。表１に示すように、警報発令期間外において、制御部２０は、細街路および細街路以外の道路区間についてのリンクデータと、背景データと、文字データと、立体データとを車載器１１０に配信する。これに対して、警報発令期間内において、制御部２０は、細街路以外の道路区間についてのリンクデータと、避難施設データとを車載器１１０に配信する。つまり、警報発令期間内において配信される地図情報３０ａが示す地図要素のうちの一部（細街路の道路区間と背景と文字と立体図）が、警報発令期間外において配信される地図情報が示す地図要素から除外されることとなる。なお、避難施設データとは、施設データのなかから、避難施設を示すデータを抽出したものである。
【００３６】
以上説明した本実施形態おいて、車両の位置が警報の発令地域内である場合、車両の位置が警報の発令地域外である場合よりも配信要求への応答処理の優先度を高く設定することにより、警報の発令地域を通行する車両に迅速に情報を配信できる。また、制御部２０は、応答処理として、車両の移動予定経路を探索し、当該移動予定経路を示す経路情報１３０ｂを車両に配信する。これにより、警報の発令地域を通行する車両に対して迅速に移動予定経路を示す経路情報１３０ｂを配信できる。
【００３７】
制御部２０は、応答処理として、車載器１１０の位置の周辺の地図を示す地図情報３０ａを車載器１１０に配信する。これにより、警報の発令地域を通行する車両に対して迅速に地図情報３０ａを配信できる。
【００３８】
さらに、制御部２０は、応答処理として、車載器１１０にて指定された検索条件に基づいて施設を検索し、当該検索された施設を示す施設情報を車載器１１０に配信する。これにより、警報の発令地域を通行する車両に対して迅速に検索条件に合致する施設の施設情報を配信できる。
【００３９】
さらに、警報発令期間内においては、警報発令期間外における地図情報が示す地図要素の一部を配信対象から除外することにより、警報発令期間内における地図情報のデータ量を削減できる。従って、警報発令期間内における通信量を削減でき、警報の発令地域を通行する車両に迅速に情報を配信できる。
【００４０】
（３）情報配信システムの処理：
次に、情報配信プログラム２１の機能により実行される優先度設定処理と情報配信処理とを説明する。優先度設定処理と情報配信処理は、情報配信システム１０の制御部２０が実行する処理である。
【００４１】
（３−１）優先度設定処理：
図２Ａは、優先度設定処理のフローチャートである。まず、受付モジュール２１ａの機能により制御部２０は、情報配信要求を受け付けたか否かを判定する（ステップＳ１００）。すなわち、制御部２０は、情報配信要求として、地図配信要求と経路探索要求と経路配信要求と施設検索要求のいずれかが車載器１１０から受信されたか否かを判定する。
【００４２】
情報配信要求を受け付けたと判定しなかった場合（ステップＳ１００：Ｎ）、受付モジュール２１ａの機能により制御部２０は、ステップＳ１００に戻り、情報配信要求が受け付けられるまで待機する。一方、情報配信要求を受け付けたと判定した場合（ステップＳ１００：Ｙ）、優先度設定モジュール２１ｂの機能により制御部２０は、警報発令期間内であるか否かを判定する（ステップＳ１０５）。すなわち、制御部２０は、現在時刻において警報情報サーバ２１０が何らかの警報情報を提供しているか否かを判定する。
【００４３】
警報発令期間内であると判定しなかった場合（ステップＳ１０５：Ｎ）、優先度設定モジュール２１ｂの機能により制御部２０は、優先度を『中』に設定する。一方、警報発令期間内であると判定した場合（ステップＳ１０５：Ｙ）、優先度設定モジュール２１ｂの機能により制御部２０は、配信先が警報の発令地域内であるか否かを判定する（ステップＳ１１５）。すなわち、制御部２０は、情報配信要求を送信した車載器１１０が、警報が発令された行政区画内に存在するか否かを判定する。
【００４４】
配信先が警報の発令地域内であると判定した場合（ステップＳ１１５：Ｙ）、優先度設定モジュール２１ｂの機能により制御部２０は、優先度を『高』に設定する（ステップＳ１２０）。一方、配信先が警報の発令地域内であると判定しなかった場合（ステップＳ１１５：Ｎ）、優先度設定モジュール２１ｂの機能により制御部２０は、優先度を『低』に設定する（ステップＳ１２５）。
【００４５】
以上のようにして、ステップＳ１１０，Ｓ１２０，Ｓ１２５のいずれかにて応答処理の優先度を設定すると、優先度設定モジュール２１ｂの機能により制御部２０は、応答処理リストに応答処理を追加する（ステップＳ１３０）。すなわち、制御部２０は、情報配信要求に応答する応答処理を応答処理リスト３０ｂに追加するとともに、設定された優先度を当該応答処理に対応付ける。
【００４６】
具体的に、制御部２０は、情報配信要求が地図配信要求であれば、複数の地図配信処理がリストアップされている応答処理リスト３０ｂに今回の地図配信要求に応答する地図配信処理を追加する。同様に、制御部２０は、情報配信要求が経路探索要求であれば、複数の経路探索処理がリストアップされている応答処理リスト３０ｂに今回の経路探索要求に応答する経路探索処理を追加する。さらに、制御部２０は、情報配信要求が経路配信要求であれば、複数の経路配信処理がリストアップされている応答処理リスト３０ｂに今回の経路配信要求に応答する経路配信処理を追加する。また、制御部２０は、情報配信要求が施設検索要求であれば、複数の施設検索処理がリストアップされている応答処理リスト３０ｂに今回の施設検索要求に応答する施設検索処理を追加する。
【００４７】
（３−２）情報配信処理：
図２Ｂは、情報配信処理のフローチャートである。まず、応答モジュール２１ｃの機能により制御部２０は、最新の応答処理リスト３０ｂを参照する（ステップＳ２００）。本実施形態においては、応答処理として地図配信処理を実行する場合を例に挙げて説明する。この場合、制御部２０は、複数の地図配信処理がリストアップされている応答処理リスト３０ｂを参照する。
【００４８】
次に、応答モジュール２１ｃの機能により制御部２０は、要求時刻と優先度とに基づいて最優先の応答処理を取得する（ステップＳ２１０）。具体的に、制御部２０は、応答処理リスト３０ｂにリストアップされた複数の地図配信処理のなかから、最も優先度が高い地図配信処理を抽出し、最も優先度が高い地図配信処理が１個のみであれば当該地図配信処理を最優先の応答処理として取得する。また、制御部２０は、最も優先度が高い地図配信処理が複数存在する場合には、これらの地図配信処理のうち最も要求時刻が早い（旧い）地図配信処理を最優先の地図配信処理として取得する。
【００４９】
次に、応答モジュール２１ｃの機能により制御部２０は、最優先の応答処理を実行する（ステップＳ２２０）。具体的に、制御部２０は、応答処理リスト３０ｂにリストアップされた複数の地図配信処理のうち、最も優先度が高い地図配信処理を実行する。その結果、地図配信要求を送信した車載器１１０に対して、当該車載器１１０に最新の地図情報３０ａが配信されることとなる。なお、地図配信処理においては、表１に示すように、現在時刻が警報発令期間内か否かに応じて送信する地図情報３０ａの内容が切り替えられることとなる。
【００５０】
次に、応答モジュール２１ｃの機能により制御部２０は、最優先の応答処理を応答処理リスト３０ｂから削除する（ステップＳ２３０）。以上説明した情報配信処理を繰り返して実行することにより、最優先の地図配信処理を順に実行していくことができる。その結果、警報発令期間内においては、警報の発令地域に存在する車載器１１０の情報配信要求に対する応答処理を優先して実行することができ、警報の発令地域に存在する車載器１１に迅速に情報を配信できる。なお、警報の発令地域に存在するユーザは、普段は車載器１１０を使用しなくても、避難等に車載器１１０を活用しようとするため、応答処理の処理負荷や配信情報のデータ量が大きくなりやすい。このような状況で、警報の発令地域に存在する車載器１１０の情報配信要求に対する応答処理を優先して実行することで、警報の発令地域に存在する車載器１１に迅速に情報を配信できる。
【００５１】
（４）他の実施形態：
前記実施形態においては、警報発令期間内における優先度が『高』と『低』の二段階であったが、例えば警報の発令地域までの距離に短いほど優先度が高くなるように多段階の優先度が設定されてもよい。また、制御部２０は、発令地域外からの情報配信要求に応答する応答処理を応答処理リスト３０ｂに追加しないことにより、実質的に優先度を設定してもよい。この場合も、発令地域内からの情報配信要求に応答する応答処理が優先して実行されることとなる。
【００５２】
さらに、応答処理の種類（地図配信処理，経路探索処理，経路配信処理，施設検索処理）ごとに個別の応答処理リスト３０ｂが作成されなくてもよく、単一の応答処理リスト３０ｂに複数の種類の応答処理がリストアップされてもよい。例えば、地図配信処理と経路探索処理と経路配信処理と施設検索処理との間で、これらの実行に要する演算・通信のためのハードウェア・ソフトウェア資源が競合する場合、単一の応答処理リスト３０ｂにリストアップすることで、地図配信処理と経路探索処理と経路配信処理と施設検索処理とを優先度の高い順に実行していくことができる。
【００５３】
また、警報発令期間内において、必ずしも警報発令期間外における地図情報が示す地図要素の一部が配信対象から除外されなくてもよく、警報発令期間外における地図情報と同一の地図情報が車載器１１０に配信されてもよい。また、制御部２０は、警報発令期間内において、警報発令期間外において配信する地図情報３０ａよりも狭い地域の地図情報３０ａを配信してもよい。
【００５４】
さらに、応答処理として他の処理が実行されてもよい。例えば、制御部２０は、応答処理として、車両の自動運転制御を行うための制御情報を配信してもよいし、車載器１１０の使用方法を説明するためのガイダンス情報を配信してもよい。
【００５５】
移動体は、ユーザとともに移動すればよく、ユーザが乗る乗り物であってもよいし、ユーザが携帯する携帯端末であってもよい。受付部は、複数の移動体から情報の配信要求を受け付ければよく、例えば無線通信を介して接続された複数の移動体から情報の配信要求を受けてもよい。情報の配信要求とは、移動体が発した配信要求であってもよいし、情報配信システムが自発的に発した配信要求であってもよい。例えば、予め計画された配信計画に基づいて、情報配信システムが配信要求を発してもよい。情報とは、移動体に配信する配信情報であり、配信情報は予め記録媒体に記録されていてもよいし、応答処理にて生成されてもよい。配信情報は移動体にて用いられる情報であればよく、配信情報に基づいて移動体が画像や音声を出力してもよい。
【００５６】
警報とは、災害が起こるおそれに応じて公衆に発令されるものであればよく、必ずしも気象庁等が発令する警報と一致しなくてもよい。例えば、気象庁等が発令する注意報を警報と見なしてもよいし、気象庁等が発令する特別警報が警報に含まれてもよい。さらに、警報は、実際に発生した災害を報知するものであってもよい。発令地域とは、警報の対象となる地域であり、災害が起こるおそれがある地域、または、実際に災害が起こった地域である。発令地域は、行政区画（都道府県、市区町村等）によって特定された地域であってもよいし、行政区画とは無関係に境界が規定された地域であってもよい。例えば、発令距離は、災害の発生地点から一定の距離以内の地域であってもよいし、特定の地形（火山，海岸線等）から一定の距離以内の地域であってもよい。また、移動体の位置とは、移動体の現在地であってもよいし、将来の位置であってもよい。例えば、移動体が移動する予定の移動予定経路が存在する場合、当該移動予定経路上の位置や目的地が、移動体の将来の位置であると見なされてもよい。さらに、いずれは自宅に帰宅するという予測から、移動体のユーザの自宅の位置が、移動体の将来の位置であると見なされてもよい。
【００５７】
ここで、応答処理は、移動体の移動予定経路を探索し、当該移動予定経路を示す経路情報を移動体に配信する処理であってもよい。これにより、警報の発令地域を通行する移動体に対して迅速に移動予定経路を示す経路情報を配信できる。経路情報とは、移動体にて経路案内（地図上における案内表示や進行方向等の音声案内）を行うための情報である。また、経路情報には、移動予定経路の周辺の地図を示す情報が含まれてもよい。なお、応答処理においては、最終的に経路情報が配信されればよく、経路情報を配信する前に、探索された移動予定経路の一覧を示す情報を移動体に配信してもよい。
【００５８】
さらに、応答処理は、移動体の位置の周辺の地図を示す地図情報を移動体に配信する処理であってもよい。これにより、警報の発令地域を通行する移動体に対して迅速に地図情報を配信できる。
【００５９】
さらに、応答部は、警報発令期間外においても、移動体の位置の周辺の地図を示す地図情報を移動体に配信する応答処理を実行するとともに、警報発令期間内において配信される地図情報が示す地図要素のうちの一部が、警報発令期間外において配信される地図情報が示す地図要素から除外されてもよい。このように、警報発令期間内においては、警報発令期間外における地図情報が示す地図要素の一部を配信対象から除外することにより、警報発令期間内における地図情報のデータ量を削減できる。従って、警報発令期間内における通信量を削減でき、警報の発令地域を通行する移動体に迅速に情報を配信できる。
【００６０】
さらに、応答処理は、移動体にて指定された検索条件に基づいて施設を検索し、当該検索された施設を示す施設情報を移動体に配信する処理であってもよい。これにより、警報の発令地域を通行する移動体に対して迅速に検索条件に合致する施設の施設情報を配信できる。
【００６１】
さらに、本発明のように、移動体の位置が警報の発令地域内であるか否かに応じて応答処理の優先度を設定する手法は、プログラムや方法としても適用可能である。また、以上のようなシステム、プログラム、方法は、単独の装置として実現される場合もあれば、車両に備えられる各部と共有の部品を利用して実現される場合もあり、各種の態様を含むものである。例えば、以上のような装置を備えたナビゲーションシステム、情報配信システムや方法、プログラムを提供することが可能である。また、一部がソフトウェアであり一部がハードウェアであったりするなど、適宜、変更可能である。さらに、装置を制御するプログラムの記録媒体としても発明は成立する。むろん、そのソフトウェアの記録媒体は、磁気記録媒体であってもよいし光磁気記録媒体であってもよいし、今後開発されるいかなる記録媒体においても全く同様に考えることができる。
【符号の説明】
【００６２】
１０…情報配信システム、１１…車載器、２０…制御部、２１…情報配信プログラム、２１ａ…受付モジュール、２１ｂ…優先度設定モジュール、２１ｃ…応答モジュール、３０…記録媒体、３０ａ…地図情報、３０ｂ…応答処理リスト、４０…通信部、１１０…車載器、１２０…制御部、１２１…ナビゲーションプログラム、１３０…記録媒体、１３０ａ…地図情報、１３０ｂ…経路情報、１４０…通信部、１５０…測位部、１６０…ユーザＩ／Ｆ部、２１０…警報情報サーバ
【図１】
2018081359.tif 000004
【図２】
2018081359.tif 000005